(57)【要約】      （修正有）【課題】簡易な構成でカーテンの表裏両面を活用できるリバーシブルカーテンシステムを提供する。【解決手段】表面と裏面で色、柄、材質及び／又は機能の異なるカーテンと、２列の平行直線部分とこれらを連接する略半円あるいは略半楕円形状を有する連接部分を有し全体としてループ形状をなすカーテンレール１と、該カーテンの表面と裏面の中間でこれを係留するカーテンフック３とからなり、該２列の平行直線部分の何れかに停止させるかによって該カーテンの表面と裏面を使い分けることが出来ることを特徴とする、リバーシブリカーテンシステムを構成する。【選択図】図１
0003195773.tif 000002
【実用新案登録請求の範囲】
【請求項１】
表面と裏面で色、柄、材質及び／又は機能の異なるカーテンと、
２列の平行直線部分とこれらを連接する略半円あるいは略半楕円形状を有する連接部分を有し全体としてループ形状をなすカーテンレールと、
該カーテンの表面と裏面の中間でこれを係留するカーテンフックとからなり、
該２列の平行直線部分の何れかに停止させるかによって該カーテンの表面と裏面を使い分けることが出来ることを特徴とする、
リバーシブリカーテンシステム。
【請求項２】
該２列の平行直線部分とこれらを連接する略半円あるいは略半楕円形状を有する連接部分を有し全体としてループ形状をなすカーテンレールは、
該連接部分の外端にリング状あるいはフック状の突起を有し、
該カーテンフックはその最外端に使用するフックに更に外向きのフックを有してなり、
該フックを該連接部分の外端にリング常あるいはフック状の突起に掛けることでリバーシブルカーテンの一方面を固定することが出来ることを特徴とする、
請求項１記載のリバーシブリカーテンシステム。
【請求項３】
該表面と裏面で色、柄、材質及び／又は機能の異なるカーテンは、
一方の面が遮光機能を有することを特徴とする、
請求項１又は２記載のリバーシブリカーテンシステム。
【請求項４】
該表面と裏面で色、柄、材質及び／又は機能の異なるカーテンは、
一方の面がスクリーン機能を有し、ホームシアター等の投影に使用可能であることを特徴とする、
請求項１又は２記載のリバーシブリカーテンシステム。
【請求項５】
該カーテンの表面と裏面の中間でこれを係留するカーテンフックは、
中央の軸が回転自在の構成とされたことを特徴とする、
請求項１乃至４記載のリバーシブリカーテンシステム。
【考案の詳細な説明】
【技術分野】
【０００１】
本考案は、簡易な構成でカーテンの表裏両面を活用できるリバーシブルカーテンシステムに関するものである。
【背景技術】
【０００２】
住宅等のカーテンは、通常掛け替えることが煩雑なため１種類を長期間に亘って掛け放しにしていることが多いのが現状である。
【０００３】
しかし、寒暖の季節により、或いは室内の模様替えに合わせて簡便にカーテンの材質や図柄を変更したいというニーズは存在している。
【０００４】
さらに、住宅においても、あるいはオフィスにおいては更に、カーテンをスクリーン等の機能面として用いたいというニーズが存在する。これは例えば住宅においてはホームシアターやホームカラオケの投影スクリーンとして用いたり、オフィスにおいてはプレゼンテーションのフリップを投影するスクリーンとして用いる、等である。
【先行技術文献】
【特許文献】
【０００５】
【特許文献１】特開２０００ー１７５８０７号公報
【特許文献２】特開平０７ー２８９４１６号公報
【特許文献３】実開平０６ー０００２４７号公報
【特許文献４】実登３１５７５１号公報
【考案の概要】
【考案が解決しようとする課題】
【０００６】
従前も、カーテンをリバーシブルで用いようとするアイディアは提案されている。しかし、従来の方法は二重仕立てのカーテンの吊り金具を工夫したもの（特許文献２）、カーテン地の一部を引き上げるもの（特許文献１）、複雑な構造でカーテンレールを反転せしむるもの（特許文献３）或いはループカーテンを表裏架け替えるもの（特許文献４）などが提案されていた。
【０００７】
しかし、従来の方法は構成が煩雑であったり、反転するのに手間がかかったりして、気軽に表裏の切り替えをしたり、裏面の機能を活用したりすることは困難であった。
【課題を解決するための手段】
【０００８】
本考案は、かかる課題を解決するため、表面と裏面で色、柄、材質及び／又は機能の異なるカーテンと、２列の平行直線部分とこれらを連接する略半円あるいは略半楕円形状を有する連接部分を有し全体としてループ形状をなすカーテンレールと、該カーテンの表面と裏面の中間でこれを係留するカーテンフックとからなり、該２列の平行直線部分の何れかに停止させるかによって該カーテンの表面と裏面を使い分けることが出来ることを特徴とする、リバーシブリカーテンシステムを構成する。
【０００９】
また本考案のリバーシブリカーテンシステムは、該２列の平行直線部分とこれらを連接する略半円あるいは略半楕円形状を有する連接部分を有し全体としてループ形状をなすカーテンレールは該連接部分の外端にリング状あるいはフック状の突起を有し、該カーテンフックはその最外端に使用するフックに更に外向きのフックを有してなり、該フックを該連接部分の外端にリング常あるいはフック状の突起に掛けることでリバーシブルカーテンの一方面を固定することが出来ることを特徴とする。
【００１０】
また本考案のリバーシブリカーテンシステムは、該表面と裏面で色、柄、材質及び／又は機能の異なるカーテンが、一方の面が遮光機能を有することを特徴とする。
【００１１】
また本考案のリバーシブリカーテンシステムは、該表面と裏面で色、柄、材質及び／又は機能の異なるカーテンが、一方の面がスクリーン機能を有し、ホームシアター等の投影に使用可能であることを特徴とする。
【００１２】
また本考案のリバーシブリカーテンシステムは、該カーテンの表面と裏面の中間でこれを係留するカーテンフックが、中央の軸が回転自在の構成とされたことを特徴とする。
【考案の効果】
【００１３】
本考案のリバーシブリカーテンシステムを用いることにより、簡便な構成により低コストでカーテンのリバーシブル活用、或いは機能面の利用が可能になり、生活に潤いを与え、また産業上も与って効果があるといえる。
【図面の簡単な説明】
【００１４】
【図１】図１は本考案にかかるリバーシブルカーテンのカーテンレールの構成を示す概念図である。
【考案を実施するための形態】
【００１５】
以下、本考案にかかるリバーシブルカーテンシステムを、図面を参照して詳細に説明する。
【実施例１】
【００１６】
図１は、本考案にかかるリバーシブルカーテンのカーテンレールの構成を示す概念図である。本考案は、表面と裏面で色、柄、材質及び／又は機能の異なるカーテンと、２列の平行直線部分とこれらを連接する略半円あるいは略半楕円形状を有する連接部分を有し全体としてループ形状をなすカーテンレールと、該カーテンの表面と裏面の中間でこれを係留するカーテンフックとからなり、該２列の平行直線部分の何れかに停止させるかによって該カーテンの表面と裏面を使い分けることが出来ることを特徴とする、リバーシブリカーテンシステムを構成する。
【００１７】
本実施例においては、アルミ部材を用いて図１に示す構成のカーテンレールを製作して用いた。
【００１８】
また本考案のリバーシブリカーテンシステムは、該２列の平行直線部分とこれらを連接する略半円あるいは略半楕円形状を有する連接部分を有し全体としてループ形状をなすカーテンレールは該連接部分の外端にリング状あるいはフック状の突起を有し、該カーテンフックはその最外端に使用するフックに更に外向きのフックを有してなり、該フックを該連接部分の外端にリング常あるいはフック状の突起に掛けることでリバーシブルカーテンの一方面を固定することが出来ることを特徴とする。
【００１９】
本実施例においては、図１に示すようにループ形状をなすカーテンレールは該連接部分の外端にリング状の突起を形成したが、これがフック状であっても同様の効果を有する。
【００２０】
本実施例においては、表面と裏面で色柄の異なるカーテンを用い、２列の平行直線部分のいずれに滞留させるかによって表面と裏面を簡単に使い分けできるようになった。なお、本考案のリバーシブリカーテンシステムは、該表面と裏面で色、柄、材質及び／又は機能の異なるカーテンを用いることができる。
【００２１】
なお、本考案のリバーシブリカーテンシステムは、該カーテンの表面と裏面の中間でこれを係留するカーテンフックが、中央の軸が回転自在の構成とした。
【実施例２】
【００２２】
他の実施例として、本考案のリバーシブリカーテンシステムにおいて、該表面と裏面で色、柄、材質及び／又は機能の異なるカーテンが、一方の面がスクリーン機能を有し、ホームシアター等の投影に使用可能なように構成した。これにより、通常はカーテンであったところが即座にスクリーンとして使用できるようになり、家庭においてはホームシアター、カラオケなどのスクリーンとして活用出来、また会社等においてはプレゼンテーション用のスクリーン等として利用価値が高いものとなった。
【００２３】
ここで、該表面と裏面で色、柄、材質及び／又は機能の異なるカーテンが、一方の面が遮光機能を有するものも有意義に用いられる。
【産業上の利用可能性】
【００２４】
以上述べてきたように、  本考案のリバーシブリカーテンシステムを用いることにより、簡便な構成により低コストでカーテンのリバーシブル活用、或いは機能面の利用が可能になり、生活に潤いを与え、また産業上も与って効果があるといえる。
【符号の説明】
【００２５】
１    本考案にかかるカーテンレールの直線部分
２    連接部分の外端のリング状突起
３    支持部材
４    レースカーテン用カーテンレール
【図１】
0003195773.tif 000003